(57)【要約】【課題】番組から確実にＣＭを削除できるようにする。【解決手段】ハードディスク２５０のＣＭデータベース部２５２に、ＣＭの冒頭部の画像信号と、末尾部の画像信号とをＣＭデータとして記憶させておく。番組記憶部２５１に記憶されてる番組の画像信号について、上記ＣＭデータを用いて検索を行なうことで、番組に挿入されたＣＭの画像信号を認識する。番組のうち、ＣＭと認識されなかった区間を番組の本編と認識して、上記本編の画像信号及び音声信号を本編記憶部２５３に書き込むことで、番組からＣＭが削除される。【選択図】　図３
2004023589.tif 000002
【特許請求の範囲】
【請求項１】
本編とＣＭからなる番組の画像信号及び音声信号から前記ＣＭの画像信号及び音声信号を削除するＣＭ削除装置において、
前記番組の画像信号及び音声信号を記憶する番組記憶部と、前記ＣＭの特徴を示すＣＭデータを記憶するＣＭデータベース部と、前記本編の画像信号及び音声信号を記憶する本編記憶部と、を有する記憶媒体と、
前記番組記憶部から前記番組の画像信号及び音声信号を読み取り、且つ前記ＣＭデータベース部から前記ＣＭデータを読み取る読み取り手段と、
前記番組の画像信号から、前記ＣＭデータに基づいて前記ＣＭの画像信号を認識し、且つ前記ＣＭの画像信号と認識されない画像信号を前記本編の画像信号として認識する認識手段と、
前記本編の画像信号と、該画像信号と同期した音声信号とを前記本編記憶部に書き込む書き込み手段と、を備え、
前記ＣＭデータは、前記ＣＭの冒頭部の画像信号及び前記ＣＭの末尾部の画像信号を含むとともに、
前記認識手段は前記冒頭部の画像信号と前記末尾部の画像信号との間隔を計測し、前記間隔が所定時間以内の場合に前記ＣＭの画像信号を認識することを特徴とするＣＭ削除装置。
【請求項２】
本編とＣＭからなる番組の画像信号及び音声信号から前記ＣＭの画像信号及び音声信号を削除するＣＭ削除装置において、
前記番組の画像信号及び音声信号を記憶する番組記憶部と、前記ＣＭの特徴を示すＣＭデータを記憶するＣＭデータベース部と、前記本編の画像信号及び音声信号を記憶する本編記憶部と、を有する記憶媒体と、
前記番組記憶部から前記番組の画像信号及び音声信号を読み取り、且つ前記ＣＭデータベース部から前記ＣＭデータを読み取る読み取り手段と、
前記読み取り手段が読み取った番組の画像信号から、前記ＣＭデータに基づいて前記ＣＭの画像信号を認識し、且つ前記ＣＭの画像信号と認識されない画像信号を前記本編の画像信号として認識する認識手段と、
前記本編の画像信号と、該画像信号と同期した音声信号とを前記本編記憶部に書き込む書き込み手段と、を備えるとともに、
前記ＣＭデータは、前記ＣＭの冒頭部の画像信号及び前記ＣＭの末尾部の画像信号を含むことを特徴とするＣＭ削除装置。
【発明の詳細な説明】
【０００１】
【発明の属する技術分野】
放送電波等から取得した番組の画像信号及び音声信号からＣＭ（コマーシャルメッセージ）部を削除して本編部のみを保存するＣＭ削除装置に関する。
【０００２】
【従来の技術】
テレヴィジョン放送などの番組の画像データ及び音声データを取得して記録媒体に記録するためのビデオテープレコーダー等の画像記録装置のユーザは、一般に記録された番組を視聴する際、本編に挿入されたコマーシャルメッセージ（ＣＭ）が再生される時には早回し操作を行ない、ＣＭを飛ばして視聴する傾向がある。
【０００３】
上述のようなＣＭに係る煩雑な操作を解消するため、番組の画像データ、音声データを記録するとき、番組の本編に挿入されて放送されるコマーシャルメッセージの画像、音声データを取得せず、本編の画像、音声データだけを取得するＣＭカット機能を備えた画像記録装置が知られている。
【０００４】
また、近年になってＨＤ（Ｈａｒｄ　Ｄｉｓｋ）やＤＶＤ−ＲＡＭ（Ｄｉｇｉｔａｌ　Ｖｉｄｅｏ　［　Ｖｅｒｓａｔｉｌｅ　］　Ｄｉｓｋ−Ｒａｎｄｏｍ　Ａｃｃｅｓｓ　Ｍｅｍｏｒｙ）といった円盤状の記憶媒体に画像を記録する形態の画像記録装置が知られるようになってきた。これらの記録媒体は記憶容量が従来のビデオテープのような記憶媒体に較べて記憶容量が高い上にデータの読み取り、書き込み、検索を迅速に行えるという特長がある。この特長を生かして、予め記憶媒体に記録した番組から、ＣＭを削除して番組の画像データ及び音声データを書き換えるという技術が特開２００１−２３８１７６に開示されている。
【０００５】
【発明が解決しようとする課題】
ところで、ＣＭカット機能を有する多くの画像記録装置では、本編の音声データの形態とＣＭ音声データの形態が異なる場合に、これらの形態の違いで本編とＣＭとを識別している。具体的には、多くのＣＭがステレオモードで制作されているのを利用し、モノラルモードや二カ国語モードで制作された本編と識別している。しかしこの方式では本編の音声がステレオモードで制作されている場合には本編とＣＭとの識別ができないという問題が生じる。そのため、従来の画像記録装置では、音声がステレオモードで制作された番組を記録した場合には依然として、ＣＭを飛ばして視聴する煩雑さが解消されなかった。
【０００６】
上述の技術に替わる本編、ＣＭ識別技術として、例えばいくつかの番組の本編において、ＣＭの直前、直後に現れるアイキャッチテレロップのような一定の表示画像を検知し、この画像に基づいて本編とＣＭとを識別するという技術が特開平２―１３９７４０に開示されている。
【０００７】
また、それ以外にも、本編においてＣＭの直前と直後で同じ画像を繰り返すといういくつかの番組で採用されている演出方法を利用し、この繰り返しを検知して本編とＣＭとを識別するという技術が特開２０００―５７７４９に開示されている。
【０００８】
しかし、上記の表示画面や演出方法は全ての番組で採用されているわけではなく、上述の技術ではユーザが視聴する全ての番組でＣＭを削除することはできなかった。
【０００９】
そこで、本発明が解決しようとする課題は、番組のデータの画像データ、音声データに関係なく、ＣＭを削除して記録できるようにすることである。
【００１０】
【課題を解決するための手段】
以上の課題を解決するために、請求項１に記載の発明は、例えば図１、図２に示すように、
本編とＣＭからなる番組の画像信号及び音声信号から前記ＣＭの画像信号及び音声信号を削除するＣＭ削除装置（例えば、ＨＤレコーダ１）において、
前記番組の画像信号及び音声信号を記憶する番組記憶部と、前記ＣＭの特徴を示すＣＭデータを記憶するＣＭデータベース部と、前記本編の画像信号及び音声信号を記憶する本編記憶部と、を有する記憶媒体（例えば、ハードディスク２５０）と、
前記番組記憶部から前記番組の画像信号及び音声信号を読み取り、且つ前記ＣＭデータベース部から前記ＣＭデータを読み取る読み取り手段（例えば、コントローラ２４、ＨＤドライブ２５）と、
前記読み取り手段が読み取った番組の画像信号から、前記ＣＭデータに基づいて前記ＣＭの画像信号を認識し、且つ前記ＣＭの画像信号と認識されない画像信号を前記本編の画像信号として認識する認識手段（例えば、コントローラ２４）と、
前記本編の画像信号と、該画像信号と同期した音声信号とを前記本編記憶部に書き込む書き込み手段（例えば、コントローラ２４、ＨＤドライブ２５）と、を備え、
前記ＣＭデータは、前記ＣＭの冒頭部の画像信号及び前記ＣＭの末尾部の画像信号を含むとともに、
前記認識手段は前記冒頭部の画像信号と前記末尾部の画像信号との間隔を計測し、前記間隔が所定時間以内の場合に前記ＣＭの画像信号を認識することを特徴とするＣＭ削除装置。
【００１１】
以上のように請求項１に記載の発明では、認識手段でＣＭ（コマーシャルメッセージ）の冒頭部の画像信号と末尾部の画像信号とを含んだＣＭデータを用いて、番組の画像信号からＣＭの画像信号を検索する。こうして認識手段が番組の本編の画像信号とＣＭの画像信号とを認識した後、書き込み手段により本編の画像信号と音声信号だけを記憶媒体の本編記憶部に記憶させる。
このように、ＣＭ画像信号の認識をＣＭの冒頭部の画像信号や末尾部の画像信号という、各々のＣＭに固有な情報に基づく検索により行なうことで、本編及びＣＭの音声信号の形式や、番組のＣＭの直前、直後における演出といった要素に関係なく、確実に番組からＣＭを削除することができる。
また、番組の画像信号に対するＣＭの画像信号の検索は、番組記憶部への番組の画像信号及び音声信号を記憶が完了した後、こうして一旦記憶された画像信号に対して行なうので、演算速度の遅い演算装置でも実行が可能である。よって、上述のような演算装置を認識手段に適用することで、安価且つ容易にＣＭ削除装置を作成することができる。
さらに、ＣＭの冒頭部の画像信号や末尾部の画像信号は、ＣＭ全体の画像信号に較べて情報量が少ないので、記憶媒体の小さな領域にＣＭデータベース部を構築することができる。よって、記憶媒体全体の容量を小さくすることで、安価且つ容易にＣＭ削除装置を作成することができる。
それに加えて、ＣＭの画像信号の認識は、ＣＭの冒頭部とＣＭの末尾部との間隔が所定時間より短い場合に限って行なわれる。そのため、ＣＭの冒頭部や末尾部が誤って認識されたり、上記末尾部に大きなノイズがあるような場合に、本編の画像信号及び音声信号がＣＭの画像信号及び音声信号と誤認識されて削除されるといったトラブルを回避することができる。よって、誤って本編を削除することのないＣＭ削除装置を作成することができる。
【００１２】
請求項２に記載の発明は、例えば図１、図２に示すように、
本編とＣＭからなる番組の画像信号及び音声信号から前記ＣＭの画像信号及び音声信号を削除するＣＭ削除装置（例えば、ＨＤレコーダ１）において、
前記番組の画像信号及び音声信号を記憶する番組記憶部と、前記ＣＭの特徴を示すＣＭデータを記憶するＣＭデータベース部と、前記本編の画像信号及び音声信号を記憶する本編記憶部と、を有する記憶媒体（例えば、ハードディスク２５０）と、
前記番組記憶部から前記番組の画像信号及び音声信号を読み取り、且つ前記ＣＭデータベース部から前記ＣＭデータを読み取る読み取り手段（例えば、コントローラ２４、ＨＤドライブ２５）と、
前記読み取り手段が読み取った番組の画像信号から、前記ＣＭデータに基づいて前記ＣＭの画像信号を認識し、且つ前記ＣＭの画像信号と認識されない画像信号を前記本編の画像信号として認識する認識手段（例えば、コントローラ２４、ＨＤドライブ２５）と、
前記本編の画像信号と、該画像信号と同期した音声信号とを前記本編記憶部に書き込む書き込み手段と、を備えるとともに、
前記ＣＭデータは、前記ＣＭの冒頭部の画像信号及び前記ＣＭの末尾部の画像信号を含むことを特徴とするＣＭ削除装置。
【００１３】
以上のように請求項２に記載の発明では、認識手段でＣＭ（コマーシャルメッセージ）の冒頭部の画像信号と末尾部の画像信号とを含んだＣＭデータを用いて、番組の画像信号からＣＭの画像信号を検索する。こうして認識手段が番組の本編の画像信号とＣＭの画像信号とを認識した後、書き込み手段により本編の画像信号と音声信号だけを記憶媒体の本編記憶部に記憶させる。
このように、ＣＭ画像信号の認識をＣＭの冒頭部の画像信号や末尾部の画像信号という、各々のＣＭに固有な情報に基づく検索により行なうことで、本編及びＣＭの音声信号の形式や、番組のＣＭの直前、直後における演出といった要素に関係なく、確実に番組からＣＭを削除することができる。
また、番組の画像信号に対するＣＭの画像信号の検索は、番組記憶部への番組の画像信号及び音声信号を記憶が完了した後、こうして一旦記憶された画像信号に対して行なうので、演算速度の遅い演算装置でも実行が可能である。よって、上述のような演算装置を認識手段に適用することで、安価且つ容易にＣＭ削除装置を作成することができる。
さらに、ＣＭの冒頭部の画像信号や末尾部の画像信号は、ＣＭ全体の画像信号に較べて情報量が少ないので、記憶媒体の小さな領域にＣＭデータベース部を構築することができる。よって、記憶媒体全体の容量を小さくすることで、安価且つ容易にＣＭ削除装置を作成することができる。
【００１４】
【発明の実施の形態】
本発明に係るＣＭ削除装置について、ＨＤレコーダ１を例に取り、図面を用いて説明する。ただし、発明の範囲を図示例に限定するものではない。
【００１５】
図１には、ＨＤレコーダ１のブロック図が示されている。ＨＤレコーダ１は、受信部２１、入力制御部２２、Ａ／Ｄ変換部２３、コントローラ２４、ＨＤドライブ２５、Ｄ／Ａ変換部２６、出力制御部２７、入力部２８、インターフェース部２９等を備えて構成される。
【００１６】
入力部２８は、スイッチ、ボタン或いはリモコン等から構成され、ユーザの操作内容に応じた信号をコントローラ２４へ出力するものである。これにより、ユーザは、種々のデータをＨＤレコーダ１に入力することができ、ＨＤレコーダ１を操作して使用することができる。
【００１７】
インターフェース部２９は例えばインターネット等のＨＤレコーダ１外部の構成要素とコントローラ２４とを接続するための構成要素であり、上記ＨＤレコーダ１外部の構成要素から取得されたデータをコントローラ２４に入力する。
【００１８】
受信部２１はチューナや分離器を備えて構成される。受信部２１はアンテナ６を介して番組の放送信号を受信し、この放送信号を入力制御部２２へ送信する。放送信号はアナログ信号又はデジタル信号であり、音声信号と画像信号とを含んで構成される。
【００１９】
入力制御部２２は受信部２１で受信された放送信号から音声信号と画像信号を抽出する。Ａ／Ｄ変換部２３は、上記放送信号がアナログ信号である場合には入力制御部２２で抽出された画像信号及び音声信号をＭＰＥＧ２（Ｍｏｔｉｏｎ　ＰｉｃｔｕｒｅＥｘｐｅｒｔ　Ｇｒｏｕｐ　２）によりエンコード（圧縮）してコントローラ２４に出力する。一方、上記放送信号がデジタル信号である場合には、画像信号及び音声信号は既にＭＰＥＧ２でエンコードされているので、これら画像信号及び音声信号をそのままコントローラ２４に送信する。
【００２０】
コントローラ２４は、ＣＰＵ２４ａ、ＲＡＭ２４ｂ、ＲＯＭ２４ｃを備えて構成される。コントローラ２４は読み取り手段、認識手段、書込み手段を兼ねた構成要素であり、後述するハードディスク２５０に対する音声信号、画像信号、ＣＭデータの読み取り、書き込みや、番組の本編やＣＭの認識を行なったり、ＨＤレコーダ１の各構成要素を制御したりする。
【００２１】
ＲＯＭ２４ｃには、ＨＤレコーダ１全体を制御するためのプログラムが格納されている。ＣＰＵ２４ａはＲＯＭ２４ｃに格納されたプログラムや入力部２８からの信号に従い、ＨＤレコーダ１の各構成要素を制御するための演算を行なう。ＲＡＭ２４ｂはＣＰＵ２４ａが演算を行なうための作業領域として作動する。
【００２２】
ＨＤドライブ２５はコントローラ２４とともに読み取り手段及び書き込み手段を形成する構成要素であり、記憶媒体であるハードディスク（ＨＤ）２５０と、ハードディスク２５０に記憶されている情報の読み取り、書き込むを行なうためのヘッドと、を備えて構成される。ハードディスク２５０は図２に示すように番組記憶部２５１、ＣＭデータベース部２５２、本編記憶部２５３の３つの領域を含んで構成される。
【００２３】
番組記憶部２５１は入力制御部２２で抽出された番組の画像信号及び音声信号を、放送されたままの形態で記憶する。本編記憶部２５３は上記番組の画像信号及び音声信号からＣＭの画像信号および音声信号を削除したあとに残った、本編の画像信号及び音声信号を記憶する。
【００２４】
ＣＭデータベース部２５２は、番組に本編の間に挿入して放送されるコマーシャルメッセージ（ＣＭ）を番組の本編と識別するためのＣＭデータを格納して記憶する。ここで、ＣＭデータは、各ＣＭの冒頭部の画像信号と末尾部の画像信号を含んで構成される。
【００２５】
具体的には、ＣＭの冒頭のフレームの画像信号が該ＣＭの冒頭部の画像信号としてＣＭデータベース部２５２に記憶されている。また、ＣＭの末尾のフレームの画像信号が該ＣＭの末尾部の画像信号としてＣＭデータベース部２５２に記憶されている。これらのＣＭデータは、例えばインターネットやＤＶＤ−ＲＯＭといったメディアからインターフェース部２９を介して取得されるか、番組の画像信号再生時にユーザがＣＭを視聴しながら入力部２８を操作することで上記ＣＭ冒頭部と末尾部とを指定することによって取得され、コントローラ２４により書き込まれて記憶される。ＣＭデータベース部２５２に記憶されたＣＭデータは、放送されるＣＭの変動に対応するため、定期的もしくは随時書き換えられる。
【００２６】
Ｄ／Ａ変換部２６はハードディスク２５０に記憶された画像信号及び音声信号を再生する際、コントローラ２４を介してこれらの信号をデコード（伸張）し、アナログ信号に変換して出力制御部２７に出力する。さらに出力制御部２７はＤ／Ａ変換部２６で変換された画像信号及び音声信号をテレビモニタや受像管（ＣＲＴ）やスピーカといった出力装置へ出力する。
【００２７】
本発明に係るＨＤレコーダ１を用いて番組からＣＭを削除する動作について、番組Ｐを例に取り、図３、図４を参照して説明する。
【００２８】
番組Ｐは本編Ｈ１と本編Ｈ２の間にＣＭ１が挿入され、本編Ｈ２と本編Ｈ３の間にＣＭ２が挿入された構成を有する。ＣＭ１は「あ」という文字の画像からなるフレームＦ１で始まり、「ＫＫ」という文字の画像からなるフレームＦ’１で終わる。また、ＣＭ２は「Ａ」という文字の画像からなるフレームＦ２で始まり、「Ｃｏ．」という文字の画像からなるフレームＦ’２で終わる。ＣＭ１及びＣＭ２は１分以内の長さで制作されている。
【００２９】
番組Ｐはアンテナ６、受信部２１を経て放送信号として取得される。さらに入力制御部２２で番組Ｐの放送信号から画像信号及び音声信号が抽出される。抽出された番組Ｐの画像信号及び音声信号はＡ／Ｄ変換部２３及びコントローラ２４を経てハードディスク２５０の番組記憶部２５１に書き込まれ、記憶される。
【００３０】
ユーザが番組ＰからのＣＭの削除を入力部２８で指示すると、コントローラ２４はまず、番組記憶部２５１に記憶された番組Ｐの画像信号を読み出す。さらにコントローラ２４はＣＭデータベース部２５２に記憶されたＣＭデータを順次読み出し、このＣＭデータを用いて番組Ｐの画像信号を検索してＣＭ１、ＣＭ２を認識する。
【００３１】
ＣＭ１、ＣＭ２の認識は図４のフローチャートに示す手順で行なわれる。コントローラ２４はまずＣＭ１の冒頭部の画像信号であるフレームＦ１の画像信号をＣＭデータベース部２５２から読み出す。引き続きコントローラ２４は周知の画像信号比較方法により、番組Ｐの各フレームの画像信号と、フレームＦ１の画像信号とを比較して検索する（Ｓ１、Ｓ２）。検索の結果、番組Ｐの画像信号からフレームＦ１の画像信号が検知されると、引き続いてコントローラ２４はＣＭ１の末尾部の画像信号であるフレームＦ’１の画像信号を読み出して番組Ｐの各フレームの画像信号を検索する（Ｓ３、Ｓ４）。
【００３２】
フレームＦ’１の画像信号が番組Ｐの画像信号から検知されると、コントローラ２４はフレームＦ１とフレームＦ’１との間隔を計測する（Ｓ５）。計測の結果、フレームＦ１とフレームＦ’１との間隔が所定時間である１分より短い場合には、コントローラ２４はこのフレームＦ１とフレームＦ’１との間の区間にある画像信号をＣＭ１の画像信号として認識する（Ｓ７）。
【００３３】
ここで、上記所定時間は、番組ＰにＣＭ１が含まれていないに関わらずフレームＦ１をコントローラ２４がエラーによってフレーム１を検知したり、番組Ｐにおいて、フレームＦ’１に大きなノイズが入っていてコントローラ２４がフレームＦ’１を検知できなかったりした場合に誤って本編が削除されることを防ぐために設定されるものである。
【００３４】
ＣＭ１の認識後、コントローラ２４はＣＭ２の冒頭部の画像信号であるフレームＦ２の画像信号をＣＭデータベース部２５２から読み出し、ＣＭ１の場合と同様にして番組Ｐの画像信号を検索し（Ｓ８、Ｓ９、Ｓ２）、さらにＣＭ２を認識する（Ｓ３〜Ｓ７）。
【００３５】
ＣＭ１、ＣＭ２の認識後、コントローラ２４はさらにフレームＦ１、Ｆ２以外のフレームについても順次検索を行なう。例えばコントローラ２４があるＣＭについて番組Ｐの画像信号を検索した結果、番組Ｐから上記ＣＭの冒頭のフレームであるフレームＦｎが検知されなかった場合（Ｓ３）や、フレームＦｎが検知されたものの上記ＣＭの末尾のフレームであるフレームＦ’ｎを検知できなかったり（Ｓ５）、フレームＦｎとフレームＦ’ｎとの間隔が１分以上だったりした場合（Ｓ６）には、上記ＣＭは番組Ｐに挿入されていないものとして次のＣＭについての検索に移行する（Ｓ９）。
【００３６】
図４のフローチャートで示す手順に従い、ＣＭデータベース部２５２に記憶されている全てのＣＭデータについて検索を行なうことで、番組Ｐに挿入されているＣＭの認識が完了する。
【００３７】
ＣＭ１、ＣＭ２の認識が完了した後、番組ＰのＣＭ１、ＣＭ２、…と認識されなかった区間の画像信号を番組Ｐの本編の画像信号として認識する。図３の番組Ｐの場合では、ＣＭ１の手前の区間の画像信号を本編Ｈ１の画像信号、ＣＭ１とＣＭ２の間の区間の画像信号を本編Ｈ２の画像信号、ＣＭ２の後の区間の画像信号を本編Ｈ３の画像信号とそれぞれ認識し、ＣＭ１、ＣＭ２の画像信号と識別する。
【００３８】
本編Ｈ１、Ｈ２、Ｈ３の画像信号とＣＭ１、ＣＭ２の画像信号とを識別後、本編Ｈ１、Ｈ２、Ｈ３の画像信号及びこれらの画像信号と同期した音声信号を図３（ｂ）に示すように連結して１つのファイルとし、番組Ｐ’として本編記憶部２５３に書き込む。こうして番組ＰからのＣＭ削除が完了する。本編記憶部２５３に書き込まれた番組Ｐ’を再生することにより、ユーザはＣＭを早回ししたりすることなく番組Ｐを視聴することができる。
【００３９】
なお、本発明は、上記実施の形態に限定されることなく、本発明の趣旨を逸脱しない範囲において、種々の改良並びに設計の変更を行なっても良い。
例えば、記録媒体は１組のハードディスク２５０に限らない。例えばビデオテープを番組記憶部として適用し、ハードディスクにＣＭデータ記憶部及び本編記憶部を構築しても良い。この場合、ビデオデッキとＨＤレコーダを組み合わせてＣＭ削除装置が形成される。
また、ＣＭ削除は、番組記憶部への番組の書き込み中に、該番組の書き込みの後を追う形態で行なっても良い。
また、ＣＭの冒頭部の画像信号及びＣＭの末尾部の画像信号は、認識手段で取り扱う画像信号の形態に応じて適宜変更することとしても良い。さらに、ＣＭの画像信号の検索は、ＣＭの冒頭部の画像信号及びＣＭの末尾部の画像信号と一致する画像信号を検知することで行なうものとは限らず、類似する画像信号を検知することで行なうこととしても良い。
また、ＣＭの冒頭部と、末尾部との間隔を比較するための所定時間は、１分とは限らず実際に放送されるＣＭの長さに応じて適宜変更することとしても良い。さらに、ＣＭの画像信号の認識は、ＣＭの冒頭部と、末尾部との間隔の計測を経ずに行なうこととしても良い。
【００４０】
【発明の効果】
以上のように、本発明によれば、ＣＭ（コマーシャルメッセージ）の画像信号の認識をＣＭの冒頭部の画像信号や末尾部の画像信号という、各々のＣＭに固有な情報に基づく検索により行なうことで、確実に番組からＣＭを削除することができる。
また、番組の画像信号に対するＣＭの画像信号の検索は、番組記憶部への番組の画像信号及び音声信号を記憶が完了した後、こうして一旦記憶された画像信号に対して行なうことができるので、演算速度の遅い演算装置でも実行が可能である。
その上、ＣＭの冒頭部の画像信号や末尾部の画像信号は、ＣＭ全体の画像信号に較べて情報量が少ない。そのため、記憶媒体上の小さな領域にＣＭデータベース部を構築することができる。これらのことにより、安価且つ容易にＣＭ削除装置を作成することができる。
それに加えて、ＣＭの画像信号の認識は、ＣＭの冒頭部とＣＭの末尾部との間隔が所定時間より短い場合に限って行なわれる。そのため、本編の画像信号がＣＭの画像信号と誤認識されて削除されるといったトラブルを回避することができる。よって、誤って本編を削除することのないＣＭ削除装置を作成することができる。
【図面の簡単な説明】
【図１】本発明に係るＨＤレコーダ１の概略を示す要部ブロック図である。
【図２】ＨＤレコーダ１に適用されるハードディスク２５０の構成を示す概略図である。
【図３】ＨＤレコーダ１によりＣＭが削除される番組の１例である番組Ｐ（ａ）と、番組ＰからＣＭが削除された形態の番組Ｐ’（ｂ）の構成を示す概略図である。
【図４】番組に挿入されたＣＭを認識する手順を示すフローチャートである。
【符号の説明】
１　　　　ＨＤレコーダ
２４　　コントローラ
２５　　ＨＤドライブ
２９　　インターフェース部
２５０　　　　　　　　　　　　ハードディスク
２５１　　　　　　　　　　　　番組記憶部
２５２　　　　　　　　　　　　ＣＭデータベース部
２５３　　　　　　　　　　　　本編記憶部
【図１】
2004023589.tif 000003
【図２】
2004023589.tif 000004
【図３】
2004023589.tif 000005
【図４】
2004023589.tif 000006